(57)【特許請求の範囲】
【請求項１】
固定された擬似皮膚１０の上に試験布帛６を載せ、さらにその上に円筒１を載せることにより前記試験布帛６を加圧した後、前記円筒１の回転トルクを測定することを特徴とする布帛のグリップ力を測定する方法。
【請求項２】
前記円筒１の周面が試験布帛６に接している、請求項１に記載の布帛のグリップ力を測定する方法。
【請求項３】
布帛のグリップ力を測定する装置であって、固定部材３に固定された擬似皮膚１０、および試験布帛６、および円筒１、および該円筒に取り付けられた回転トルク測定用部材を備えてなり、前記試験布帛６が前記擬似皮膚１０と前記円筒１との間に位置し、かつ前記試験布帛６が前記円筒１の自重により加圧されていることを特徴とする布帛のグリップ力を測定する装置。
【請求項４】
前記円筒１が金属製である、請求項３に記載の布帛のグリップ力を測定する装置。
【請求項５】
前記円筒１に錘２が取り付けられている、請求項３または請求項４に記載の布帛のグリップ力を測定する装置。
【請求項６】
前記試験布帛６の端部が固定されている、請求項３〜５のいずれかに記載の布帛のグリップ力を測定する装置。
【請求項７】
前記回転トルク測定用部材が、荷重を取り付け可能なバー５である、請求項３〜６のいずれかに記載の布帛のグリップ力を測定する装置。
【請求項８】
前記回転トルク測定用部材がトルク計測器７である、請求項３〜７のいずれかに記載の布帛のグリップ力を測定する装置。
【発明の詳細な説明】
【技術分野】
【０００１】
本発明は、布帛のグリップ力を定量的に測定する方法および装置に関するものである。
【背景技術】
【０００２】
近年、対象物体に対するグリップ力に優れた布帛や繊維製品が求められており（例えば、特許文献１参照）、布帛のグリップ力を評価する必要があった。
しかしながら、グリップ力は、単に対象物体と布帛との摩擦だけでなく、布帛と皮膚との摩擦にも影響されるため、グリップ力を定量的に測定する方法が困難であった。このため、実際に布帛や繊維製品を用いて着用テストを行い、官能評価をしていた。
【０００３】
他方、布帛表面の特性を評価する方法として種々提案されているが、単に布帛表面の摩擦特性を評価するだけのものであり（例えば、特許文献２、特許文献３参照）、布帛のグリップ力を定量的に測定する方法はあまり提案されていない。
【先行技術文献】
【特許文献】
【０００４】
【特許文献１】特開２００８−６８０１２号公報
【特許文献２】特開平９−１９５１７２号公報
【特許文献３】特開昭６３−４５５３４号公報
【発明の概要】
【発明が解決しようとする課題】
【０００５】
本発明は上記の背景に鑑みなされたものであり、その目的は、布帛のグリップ力を定量的に測定する方法および装置を提供することにある。
【課題を解決するための手段】
【０００６】
本発明者は上記の課題を達成するため鋭意検討した結果、試験布帛を、擬似皮膚と円筒とで把持し円筒の回転トルクを測定することにより、布帛のグリップ力を定量的に測定することができることを見出し、さらに鋭意検討を重ねることにより本発明を完成するに至った。
【０００７】
かくして、本発明によれば「固定された擬似皮膚１０の上に試験布帛６を載せ、さらにその上に円筒１を載せることにより前記試験布帛６を加圧した後、前記円筒１の回転トルクを測定することを特徴とする布帛のグリップ力を測定する方法。」が提供される。
その際、前記円筒１の周面が試験布帛６に接していることが好ましい。
【０００８】
また、本発明によれば、「布帛のグリップ力を測定する装置であって、固定部材３に固定された擬似皮膚１０、および試験布帛６、および円筒１、および該円筒１に取り付けられた回転トルク測定用部材を備えてなり、前記試験布帛６が前記擬似皮膚１０と前記円筒１との間に位置し、かつ前記試験布帛６が前記円筒１の自重により加圧されていることを特徴とする布帛のグリップ力を測定する装置。」が提供される。
【０００９】
その際、前記円筒１が金属製であることが好ましい。また、前記円筒１に錘２が取り付けられていることが好ましい。また、前記試験布帛６の端部が固定されていることが好ましい。また、前記回転トルク測定用部材が、荷重を取り付け可能なバー５であることが好ましい。また、前記回転トルク測定用部材がトルク計測器７であることが好ましい。
【発明の効果】
【００１０】
本発明によれば、布帛のグリップ力を定量的に測定する方法および装置が得られる。
【図面の簡単な説明】
【００１１】
【図１】本発明に係る、布帛のグリップ力を定量的に測定する装置を例示する図である。
【図２】本発明に係る、布帛のグリップ力を定量的に測定する装置を例示する図である。
【発明を実施するための形態】
【００１２】
以下、本発明の実施の形態について詳細に説明する。
本発明の方法において、まず、固定された擬似皮膚１０の上に試験布帛６を載せる。その際、前記円筒１の端面ではなく周面が試験布帛６に接していることが好ましい。また、試験布帛６は、実際の着用時と同様、擬似皮膚１０に貼りあわされていないことが好ましい。また、試験布帛６が実際の着用時と同様にある程度拘束されるように、試験布帛６の端部のみを固定することは好ましいことである。
【００１３】
次いで、該試験布帛６の上に円筒１を載せることにより円筒１の自重で前記試験布帛を加圧する。その際、加圧力をコントロールするために、円筒１に錘２を付加したり、スプリング、ゴム等の弾性体を用いることも好ましい。
【００１４】
次いで、前記円筒１の回転トルクを測定することにより、布帛のグリップ力を測定する。かかる回転トルクを測定する方法としては、円筒１の端部に、荷重を吊り下げたバーをとりつけて円筒１が回転し始めるときの回転トルクを測定してもよいし、また、市販のトルク計測器７により回転トルクを直接測定してもよい。
【００１５】
前記の方法において、装置としては、下記の装置を用いることが好ましい。すなわち、布帛のグリップ力を測定する装置であって、固定部材に固定された擬似皮膚１０、および試験布帛６、および円筒１、および該円筒１に取り付けられた回転トルク測定用部材を備えてなり、前記試験布帛６が前記擬似皮膚１０と前記円筒との間に位置し、かつ前記試験布帛６が前記円筒１の自重により加圧されていることを特徴とする布帛のグリップ力を測定する装置である。以下、図を用いてさらに説明する。
【００１６】
まず、図１に示すように、筐体８内に設置された固定部材３が筐体８に固定されている。図１では、前記固定部材３が、４本の支柱により筐体に固定されているが、固定部材３の固定方法は特に限定されない。かかる固定部材３の材質は特に限定されないが、円筒１による加圧力に耐えられるよう、厚さ２〜８ｍｍの金属製（例えば、ステンレス）であることが好ましい。
【００１７】
なお、筐体８の材質は特に限定されないが、所定の強度を要するという点で金属製（好ましくはステンレス製）であることが好ましい。
【００１８】
前記固定部材３には擬似皮膚１０が固定されている。かかる擬似皮膚１０としては市販されているものでよく、例えば、ビューラックス社製「バイオスキン」（商品名）などが好ましい。また、かかる擬似皮膚１０を固定部材３に固定する方法としては、公知の接着剤や両面テープを用いる方法が好ましい。
【００１９】
前記擬似皮膚１０の上に、試験布帛６をはさんで、円筒１が載せられている。その際、円筒１の直径としては、ゴルフクラブなどを擬似できるよう５〜３０ｍｍの範囲内であることが好ましい。また、円筒１の材質としては、ゴルフクラブなどのような金属製（より好ましくはステンレス製）であることが好ましい。
【００２０】
ここで、試験布帛６は、前記擬似皮膚１０と円筒１とにより挟まれ、かつ円筒１の自重により加圧される。その際、該加圧力をコントロールするために、図１に示すように、錘２を錘の取付け部材とともに円筒１に取り付けることも好ましい。
【００２１】
前記円筒１は、その両端に突起部をとりつけ、かつ該突起部を、筐体の両側面に設けられたスリット部に挿入することにより、円筒１の上下移動および回転が自在とすることも好ましい。
【００２２】
かかる円筒１には、図１に示すように、回転トルクを測定するための、荷重を取り付け可能なバー５が取り付けられている。荷重の重さおよび／または取り付け位置を適宜変更し、円筒１が回転し始めるときの回転トルク（荷重と、荷重の位置〜支点までの距離との積）を、布帛のグリップ力とする。その際、図２に示すように、トルク計測器７を円筒１に取付けて回転トルクを測定し、布帛のグリップ力としてもよい。
【００２３】
また、前記の試験布帛６は、筐体８のスリット９から挿入し、前記擬似皮膚１０と円筒１との間に設置すると、試験布帛６と円筒１との接触面積を大きくすることができ好ましい。
【００２４】
その際、試験布帛６は拘束されていないことが好ましいが、例えば、前記スリット９に試験布帛６を通した状態でスリット９に栓を取付けるか、または粘着テープにより試験布帛６の端部を固定してもよい。
【００２５】
前記の方法および装置によれば、布帛の対象物体に対するグリップ力を定量的に測定することが可能となり、ゴルフグローブなどの繊維製品を作製することなくグリップ力を測定することができるので、布帛の開発コストを低減できる。
【実施例】
【００２６】
以下、実施例をあげて本発明を詳細に説明するが、本発明はこれらによって何ら限定されるものではない。
【００２７】
［実施例１］
厚さ５ｍｍのステンレス板を用い、巾３２０ｍｍ、高さ３５０ｍｍ、奥行き２００ｍｍにて、図１のように前面および後面が空いた筐体８を作製した。
次いで、前記筐体８の両側面において、筐体８の前面より奥行き方向に１００ｍｍ、天板より３０ｍｍの位置より底板に向けて２００ｍｍの長さで巾５ｍｍの、円筒１を支持するためのスリットを設けた。
【００２８】
次いで、直径１５ｍｍのステンレス円柱を用いて長さ２９０ｍｍの円筒１を作製し、円筒１の両端面中心に直径４ｍｍ、長さ１５ｍｍのステンレス円柱（突起部）を取り付けた。
【００２９】
また、円筒１に荷重を付加するため、厚さ５ｍｍ、高さ１００ｍｍ、奥行き１５０ｍｍのステンレス板（錘受け板側面）用意し、天板から底板方向に１０ｍｍ、奥行き方向に７２．５ｍｍの位置に直径５ｍｍの円孔を設けた。さらに厚さ５ｍｍ、巾２９０ｍｍ、奥行き１５０ｍｍのステンレス板を錘２の受け板として前述の両側面内側配置のステンレス板に取り付けた。
【００３０】
次いで、円筒１に取り付けた直径４ｍｍの突起部を、前記錘受け板側面の円孔（直径５ｍｍ）に通した。
【００３１】
次いで、固定部材３として厚さ５ｍｍ、巾２９０ｍｍ、奥行き１００ｍｍのステンレス板を天板より１８０ｍｍの位置にて、天板とステンレス板４隅を１辺５ｍｍのステンレス柱にて取り付けた。
【００３２】
次いで、荷重を取り付け可能なバー５として、厚さ５ｍｍ、巾５０ｍｍ、奥行き２００ｍｍのステンレス板に、奥行き方向に１０ｍｍ毎に直径４ｍｍの円孔を設け、円筒１に固定した。
【００３３】
次いで、天板の奥行き方向１００ｍｍ、両側面より１０ｍｍの位置より、試料挿入用のスリット９を奥行き３０ｍｍにて設けた。
【００３４】
次いで、固定部材３に市販の擬似皮膚１０（ビューラックス社製、型式バイオプレート）を取り付け、試験布帛６を天板の試料挿入用スリット９から円筒１の下を通して、再度試料挿入スリット９に戻し、試験布帛６を両面テープにて固定した。
【００３５】
次いで、錘２をかけることにより試験布帛６を加圧した。そして、円筒１が錘４の荷重により回転し始める際の、回転トルク（荷重と、荷重の位置〜支点までの距離との積）をグリップ力とした。
【００３６】
なお、上記測定は、試験布帛のゴルフクラブシャフトのグリップ資材としてのグリップ力を測定するものである。
【００３７】
［実施例２］
実施例１において、図２に示すように、荷重を取り付け可能なバー５をトルク計測器７（駆動モーター付、杉崎計器（株）製、型式ＮＴＳ−６ Ｓ−２）に取替えた。また、円筒１の直径を６７ｍｍに変更した。また、円筒１に直接試験布帛６を両面テープで貼り付け、これ以外は実施例１と同様にして布帛のグリップ力を測定した。
【００３８】
なお、上記測定は、試験布帛のテニスラケット用グリップ資材としてのグリップ力を測定するものである。
【産業上の利用可能性】
【００３９】
本発明によれば、布帛のグリップ力を定量的に測定する方法および装置が得られ、その工業的価値は極めて大である。
【符号の説明】
【００４０】
１：円筒
２：錘
３：固定部材
４：錘
５：荷重を取り付け可能なバー
６：試験布帛
７：トルク計測器
８：筐体
９：スリット
１０：擬似皮膚
【図１】
0005451466.tif 000002
【図２】
0005451466.tif 000003